(57)【要約】      （修正有）【課題】第一の送信機ユニットを含む音声システムにおいて無線音声ストリームを送信する方法を提供する。【解決手段】第一の音声フレーム内の第一の音声ブロックであって、第一の送信機ユニットの送信機ユニットアドレスを含む第一の一次音声パッケージを含む第一の音声ブロックを送信する工程３０４と、第一の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信する工程３０６と、第一の一次時間オフセットと前記チャネル識別子に応じて、開始時間に第二の音声ブロックの第一の一次音声パッケージを送信する工程３０８を含む。【選択図】図５
2014225878.tif 000002
【特許請求の範囲】
【請求項１】
第一の送信機ユニットを含む音声システムにおいて無線音声ストリームを送信する方法であって、
第一の音声フレーム内の第一の音声ブロックであって、前記第一の送信機ユニットの送信機ユニットアドレスを含む第一の一次音声パッケージを含む第一の音声ブロックを送信する工程と、
前記第一の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信する工程と、
前記第一の一次時間オフセットと前記チャネル識別子に応じて、開始時間に前記第二の音声ブロックの第一の一次音声パッケージを送信する工程を含む方法。
【請求項２】
前記第一の送信機ユニットの送信機ユニットアドレス、第一の二次時間オフセット、および前記第二の音声ブロックの前記第一の一次音声パッケージのチャネル識別子を含む第一の二次パイロットパッケージを送信する工程を含んでおり、
前記第二の時間オフセットが、前記第一の二次パイロットパッケージと前記第二の音声ブロックの前記第一の一次音声パッケージの間の時間オフセットを示す、請求項１の方法。
【請求項３】
所定オフセット方式、ランダムオフセット方式、または疑似ランダムオフセット方式に基づいて、前記第一の二次時間オフセットを選択する工程を含む、請求項２の方法。
【請求項４】
前記第一の一次パイロットパッケージと前記第一の二次パイロットパッケージの間の前記時間差が、第一の時間閾値よりも大きい、請求項２または３の方法。
【請求項５】
第一の音声ブロックを送信する前記工程が、前記第一の送信機ユニットの送信機ユニットアドレスを含む第二の一次音声パッケージを送信する工程を含む、請求項１から４の何れか一項の方法。
【請求項６】
前記第一の一次パイロットパッケージが、音声ストリーム識別子を含む、請求項１から５の何れか一項の方法。
【請求項７】
第一の音声フレーム内の第一の音声ブロックと、第一の音声フレームに続く第二の音声フレーム内の第二の音声ブロックを含む、複数の音声ブロックを含む電磁信号であって、
前記第一の音声ブロックと前記第二の音声ブロックは、それぞれ第一の一次音声パッケージを含んでおり、
前記電磁信号は、前記第一の音声フレーム内の第一の一次パイロットパッケージを含んでおり、
前記第一の一次パイロットパッケージと、前記第二の音声ブロックの前記第一の一次音声パッケージは、第一の一次時間オフセットだけ離されており、
前記第一の一次パイロットパッケージは、送信機ユニットアドレス、前記第一の一次時間オフセット、および前記第二の音声ブロックの前記第一の一次音声パッケージのチャネル識別子を含んでいる、電磁信号。
【請求項８】
前記第一の音声フレーム内の第一の二次パイロットパッケージを含んでおり、
前記第一の二次パイロットパッケージと、前記第二の音声ブロックの前記第一の一次音声パッケージは、第一の二次時間オフセットだけ離されており、
前記第一の二次パイロットパッケージは、送信機ユニットアドレス、前記第一の二次時間オフセット、および前記第二の音声ブロックの前記第一の一次音声パッケージのチャネル識別子を含んでいる、請求項７の電磁信号。
【請求項９】
前記第一の一次パイロットパッケージと、前記第一の二次パイロットパッケージの間の前記時間差が、第一の時間閾値よりも大きい、請求項８の電磁信号。
【請求項１０】
前記第一の音声ブロックが、送信機ユニットアドレスを含む第二の一次音声パッケージを含んでいる、請求項７から９の何れか一項の電磁信号。
【請求項１１】
前記第一の一次パイロットパッケージが、音声ストリーム識別子を含んでいる、請求項７から１０の何れか一項の電磁信号。
【請求項１２】
無線音声ストリームを送信する音声システムであって、
前記音声システムは第一の送信機ユニットを含む１つ以上の送信機ユニットを含んでおり、
前記１つ以上の送信機ユニットは音声ブロックを送信するように構成されており、
各音声ブロックはそれぞれの送信機の送信機ユニットアドレスを含む第一の一次音声パッケージを含んでおり、
前記第一の送信機ユニットは、
第一の音声フレーム内の第一の音声ブロックであって、前記第一の送信機ユニットの送信機ユニットアドレスを含む第一の一次音声パッケージを含む第一の音声ブロックを送信し、
前記第一の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信し、
前記第一の一次時間オフセットと前記第二の音声ブロックの前記第一の一次音声パッケージの前記チャネル識別子に応じて、開始時間に前記第二の音声ブロックの前記第一の一次音声パッケージを送信するように構成されている、音声システム。
【請求項１３】
前記音声システムは、第二の送信機ユニットを含んでおり、
前記第二の送信機ユニットは、
第一の音声フレーム内の第一の音声ブロックであって、前記第二の送信機ユニットの送信機ユニットアドレスを含む第一の一次音声パッケージを含む第一の音声ブロックを送信し、
前記第二の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信し、
前記第二の送信機からの前記第一の一次時間オフセットと前記第二の音声ブロックの前記第一の一次音声パッケージの前記チャネル識別子に応じて、開始時間に前記第二の音声ブロックの前記第一の一次音声パッケージを送信するように構成されている、請求項１２の音声システム。
【請求項１４】
無線音声ストリームを送信する音声システムであって、
前記音声システムは、音声ブロックを送信する第一の送信機ユニットを含んでおり、
各音声ブロックは、前記第一の送信機の送信機ユニットアドレスを含む第一の一次音声パッケージを含んでおり、
前記第一の送信機ユニットは、請求項１から６の何れか一項の方法を実行するように構成されている、音声システム。
【請求項１５】
無線音声ストリームを送信する送信機ユニットであって、
請求項７から１１の何れか一項の電磁信号を送信するように構成されている、送信機ユニット。
【発明の詳細な説明】
【技術分野】
【０００１】
本開示は、音声ストリーム配信をする音声システムおよび関連する方法に関する。より具体的には、本開示は、特に聴覚装置に、無線音声ストリームを送信する方法および音声システムに関する。
【背景技術】
【０００２】
聴覚装置との間の無線通信は、無線通信技術の継続的な発展の中で増加しつつある。音声が群衆に配信される混雑した環境、例えば空港や映画館においては、限られた帯域幅を有しており、様々な音声ストリームを分離する機能が限られているテレコイルを解決策として、音声をストリーム配信することが知られている。
【発明の概要】
【発明が解決しようとする課題】
【０００３】
音声ストリーム配信のデジタルでの解決策は、音声を放送する拡張された機能を有する。しかしながら、単一の送信機ユニットが音声ストリームを送信する範囲は限られており、異なる送信機ユニットから同じ音声ストリームを受信することを可能にする方法が待望されている。
【０００４】
しかしながら、聴覚装置の限られたバッテリ電力は、バッテリの寿命を延ばすために、聴覚装置からのデータ送信を最小化することを要求している。従って、１つの送信機ユニットからの音声ストリームの受信から、別の送信機ユニットからの同じ音声ストリームの受信への移行には、聴覚装置からのデータの送信が省略される、あるいは実質的に最小化されることが必要とされる。
【０００５】
従って、第一の送信機ユニットと第二の送信機ユニットの間のハンドオーバの際に、音声システムと聴覚装置の間のデータの送信に頼ることなく、移動するユーザに対して音声ストリーム配信を提供する音声システムが待望されている。
【課題を解決するための手段】
【０００６】
従って、第一の送信機ユニットを含む音声システムにおいて無線音声ストリームを送信する方法が提供される。その方法は、例えば第一の送信機ユニットを用いて、第一の音声フレーム内の第一の音声ブロックを送信する工程を含んでいる。第一の音声ブロックは、第一の一次音声パッケージを含む、少なくとも１つの音声パッケージを含んでいる。第一の一次音声パッケージは、第一の送信機ユニットの送信機ユニットアドレスを含んでいる。その方法はさらに、例えば第一の送信機ユニットを用いて、第一の一次パイロットパッケージを送信する工程を含んでいる。第一の一次パイロットパッケージは、第一の送信機ユニットの送信機ユニットアドレス、第一の一次時間オフセット、および第二のおよび／または他のその後の音声フレーム内の第二のおよび／または他のその後の音声ブロックの音声パッケージ、例えば第一の一次音声パッケージのチャネル識別子を含んでいる。さらに、その方法は、第一の一次時間オフセットおよびチャネル識別子に応じてまたは従って、開始時間に第二の音声ブロックの音声パッケージ、例えば第一の一次音声パッケージを送信する工程を含んでいる。
【０００７】
第一の音声フレーム内の第一の音声ブロックと、第一の音声フレームに続く第二の音声フレーム内の第二の音声ブロックを含む、複数の音声ブロックを含む電磁信号も開示される。第一の音声ブロックと第二の音声ブロックはそれぞれ、第一の一次音声パッケージを含む、１つ以上の音声パッケージを含んでいる。その電磁信号は、第一の音声フレーム内の第一の一次パイロットパッケージを含んでいる。第一の一次パイロットパッケージと、第二の音声ブロックの第一の一次音声パッケージは、第一の一次時間オフセットだけ離されている。第一の一次パイロットパッケージは、送信機ユニットアドレス、第一の一次時間オフセット、および第二の音声ブロックの第一の一次音声パッケージのチャネル識別子を含んでいる。
【０００８】
無線音声ストリームを送信する音声システムも開示される。その音声システムは、第一の送信機ユニットを含む、１つ以上の送信機ユニットを含んでいる。１つ以上の送信機ユニットは、音声ブロックを送信するように構成されている。各音声ブロックは、第一の一次音声パッケージを含む、１つ以上の音声パッケージを含んでいる。第一の一次音声パッケージは、それぞれの送信機の送信機ユニットアドレスを含んでいる。第一の送信機ユニットは、第一の音声フレーム内の第一の音声ブロックを送信するように構成されている。第一の音声ブロックは、第一の一次音声パッケージを含んでいる。第一の一次音声パッケージは、第一の送信機ユニットの送信機ユニットアドレスを含んでいる。第一の送信機ユニットはさらに、第一の一次パイロットパッケージを送信するように構成されている。第一の一次パイロットパッケージは、第一の送信機ユニットの送信機ユニットアドレス、第一の一次時間オフセット、および第二の音声フレーム内の第二の音声ブロックの第一の一次音声パッケージのチャネル識別子を含んでいる。第一の送信機ユニットはさらに、第一の一次時間オフセットと、第二の音声ブロックの第一の一次音声パッケージのチャネル識別子に応じて、開始時間に第二の音声ブロックの第一の一次音声パッケージを送信するように構成されている。
【０００９】
無線音声ストリームを送信する送信機ユニットも開示される。その送信機ユニットは、上記の電磁信号を送信するように構成されている。
【００１０】
聴覚装置において送信機ユニットからの音声ストリームを受信しているときに、聴覚装置のユーザが送信機ユニットから離れていったり、何かが信号に干渉したりして、信号強度が弱められる場合がある。実際上、この事は信号の全喪失および音声ストリームの受信失敗を招くおそれがある。送信機ユニットからパイロットパッケージを送信することによって、聴覚装置が、別の送信機ユニットに切り替えて、そこから音声ストリームを受信できるようにすることができる。
【００１１】
聴覚装置において、聴覚装置がすでに受信している音声ストリームと同じものを送信している他の送信機ユニットからのパイロットパッケージを受信することは、その後の、例えば後続のまたは次の音声フレームの開始から、別の送信機ユニットからの音声ストリームの受信にシームレスに切り替えることを可能にする。この事は、その後の、例えば後続のまたは次の音声ブロックの第一の音声パッケージがどのチャネルで受信されるか、いつ受信されるか、およびどの送信機ユニットから受信されるかについての情報を含むパイロットパッケージを送信することによって実現される。
【００１２】
従って、聴覚装置からデータを送信する必要性が省略または少なくとも低減され、電力消費を低減して聴覚装置のバッテリ寿命を延ばすことができる。さらに、データの喪失なしに、別の送信機ユニットからの受信へ切り替えることが可能となる。
【００１３】
本発明の利点は、様々な送信機ユニットの間での簡易な切替が提供されることである。
【００１４】
さらに、一次パイロットパッケージの提供により、簡素で省電力なハンドオーバを実現することができる。
【図面の簡単な説明】
【００１５】
本発明の上記および他の特徴ならびに利点は、添付の図面を参照する例示的な実施形態の以下の詳細な説明から、当業者にとって容易に明白になるであろう。
【００１６】
【図１】例示的な音声システムの使用を模式的に示す。
【図２】例示的な音声システムを模式的に示す。
【図３】例示的な電磁信号を模式的に示す。
【図４】様々な音声ブロックを模式的に示す。
【図５】本発明による例示的な方法のフローチャートである。
【図６】例示的な音声パッケージを模式的に示す。
【図７】例示的なパイロットパッケージを模式的に示す。
【００１７】
これらの図面は、概略的であって明確にするために簡略化されており、本発明の理解に必須である詳細を単に示し、他の詳細は省略されている。当該図面にわたって、同じ参照番号は、同一または対応する部分に対して用いられる。
【発明を実施するための形態】
【００１８】
本発明は、聴覚装置に音声トラックを表す音声ストリームを送信またはストリーム配信することが可能な方法および音声システムに関する。
【００１９】
音声システムにおいて、１つ以上の送信機ユニットは、音声ストリームを、例えば、１つ以上の聴覚装置に通信または送信するように構成される。送信機ユニットは、１つ以上の音声ストリームを送信してもよい。送信機ユニットは、送信機ユニットアドレスによって、特定される。
【００２０】
音声トラックは、可聴信号である。例示的な可聴信号は、空港での呼び出し、映画のサウンドトラック、スピーチまたは楽曲である。
【００２１】
音声ストリームは、音声トラックを表す電磁信号である。音声ストリームは、それぞれが１つ以上の音声パッケージを含む多数の音声ブロックによって表される。音声パッケージは、音声ストリームの限定された部分より成る。音声ストリームについては、図３および付随する文章でさらに説明する。
【００２２】
音声ブロックは、１つ以上の音声パッケージを含む。音声ブロックは、１つ以上の一次音声パッケージおよび／または１つ以上の二次音声パッケージを含んでいてもよい。二次音声パッケージは、聴覚装置が喪失したパッケージを回復することができるように、一次音声パッケージのコピーを構成していてもよい。さらに、音声ブロックは、例えば、それぞれ左耳または右耳のための音声ストリームデータを構成する、複数の第一の音声パッケージおよび／または複数の第二の音声パッケージを含んでいてもよい。音声ブロックは、第一の一次音声パッケージおよび／または第二の一次音声パッケージを含んでいてもよい。さらに、第一の二次音声パッケージおよび／または第二の二次音声パッケージは、音声ブロックに含まれていてもよい。２つ以上の音声パッケージにおいて同じ音声データを送ることによって、受信機での音質が向上する。音声ブロックおよび音声パッケージについては、図４および付随する文章でさらに説明する。
【００２３】
音声ストリームは、幾つかのパイロットパッケージを含む。パイロットパッケージは、次に続くまたは次の音声ブロック等の後続のものについての情報を含む。
【００２４】
音声フレームは、１つ以上の音声パッケージを有する音声ブロックと、場合によっては一次および／または二次パイロットパッケージを含む１つ以上のパイロットパッケージとを含む。音声フレームは、送信機ユニット間のハンドオーバをさらに向上させるために、三次パイロットパッケージを含んでいてもよい。音声ブロックは、０．３８０ｍｓ〜６．８ｍｓの範囲、例えば２．８５ｍｓなど２．０ｍｓ〜３．５ｍｓの範囲等の、０．２４０ｍｓ〜８．０ｍｓの長さを有してもよい。音声フレームを図示した例については、図３および付随する文章に記す。
【００２５】
音声ストリームは、音声ストリーム識別子を含んでいてもよく、当該音声ストリーム識別子は、音声トラック識別情報、送信機ユニットアドレス、音声グループ識別情報等の１つ以上の要素を含んでいてもよい。音声トラック識別情報は、同じ音声トラックを表す音声ストリームの選択を可能にしてもよい。音声グループ識別情報は、音声トラックまたは音声ストリームのある特定のグループを特定してもよい。例えば、音声グループは、例えば英語、デンマーク語、または中国語等の同じまたは類似の言語の音声トラックであってもよい。
【００２６】
音声パッケージは、当該音声パッケージを送信する送信機ユニットの送信機ユニットアドレスを含み、よって、聴覚装置が他の送信機ユニットから送られた音声パッケージを選別できるようにしてもよい。
【００２７】
パイロットパッケージは、当該音声ストリームを送る送信機ユニットからの次に続くまたは次の音声ブロック等の後続のものの受信を可能にする情報を含んでいてもよい。パイロットパッケージは、音声ストリーム内のパッケージおよび／または音声ブロックの間のタイミングを示す１つ以上の時間オフセットを含む。さらに、パイロットパッケージは、チャネル識別子を含んでいてもよい。チャネル識別子は、次に続く音声ブロック等の後続のものにおける音声パッケージのチャネルを示す。さらに、パイロットパッケージは、送信機ユニットアドレスおよび／または音声ストリーム識別子を含んでいてもよい。パイロットパッケージは、ネットワーク識別子、または送信機ユニットのグループを示す他のデータを含み、よって、聴覚装置が送信機ユニットのグループのパイロットパッケージを選択できるまたはそれらの探索を制限できるようにしてもよい。送信機ユニットからのパイロットパッケージによって、聴覚装置は、受信したパイロットパッケージ内に含まれる情報に従って当該聴覚装置を設定することによって、当該送信機ユニットから次に続く音声ブロック等の後続のものを受信できるようになる。音声ブロック内の一次パイロットパッケージは、送信機ユニットアドレス、一次時間オフセットおよび次に続く音声ブロック等の後続のものの第一の一次音声パッケージのチャネル識別子を含んでいてもよい。音声ブロック内の二次パイロットパッケージは、送信機ユニットアドレス、二次時間オフセットおよび次に続く音声ブロック等の後続のものの第一の一次音声パッケージのチャネル識別子を含んでいてもよい。
【００２８】
パイロットパッケージ内に含まれる時間オフセットは、次に続く音声ブロック等の後続のものの送信の時間を示していてもよい。時間オフセットは、例えば、パイロットパッケージの送信開始から、次に続く音声ブロックの送信開始時および／または次に続く音声ブロック内の音声パッケージの送信開始時までの時間であってもよい。時間オフセットを図示した例については、図３および付随する文章に記す。
【００２９】
パイロットパッケージ内に含まれるチャネル識別子は、後続の、例えば次に続く音声ブロックが送信されるチャネルを示していてもよい。チャネルは既知の周波数であってもよい。
【００３０】
パイロットパッケージ内に含まれる送信機ユニットアドレスは、当該パイロットパッケージが送信された送信機ユニットの送信機ユニットアドレスであって、よって、聴覚装置が、当該パイロットパッケージに対応する次に続く音声パッケージを当該聴覚装置が受信することができる送信機ユニットを特定できるようにしてもよい。
【００３１】
音声フレームは、持続時間すなわち期間長Ｔを有していてもよい。Ｔは、音声ブロックの送信開始から次に続く音声ブロックの送信開始までの時間として定義されていてもよい。Ｔは、第一の音声ブロックの第一の一次音声パッケージの送信開始から第二の音声ブロックの第一の一次音声パッケージの送信開始までの時間として定義されていてもよい。期間長Ｔは、固定されたものであってもよく、例えば、５ｍｓ〜１２ｍｓ、６ｍｓ〜１０．２ｍｓ、６ｍｓ〜６．５ｍｓ、７．２ｍｓ〜７．７ｍｓまたは９．８ｍｓ〜１０．２ｍｓ等の、２ｍｓ〜２０ｍｓの時間であってもよい。期間長Ｔが長いと、受信機の電源を切ることができる持続時間を長くするので、聴覚装置の省電力の機能を高めるのに有益であり得る。しかしながら、Ｔが長いと待ち時間が長くなる。つまり、このことは、Ｔが長いと、音声を例えば映画に同期させる必要がある場合は、適切ではないことを意味する。よって、Ｔが短いと、音声を他のインプットに同期させるまたは出来る限りリアルタイムに近づけて生じさせる必要がある場合、有益である。
【００３２】
音声システムは、第一の送信機ユニットと、場合によっては第二の送信機ユニット、または場合によっては、任意の数の複数の送信機ユニットを含んでもよい。複数の送信機ユニットを含む音声システムを図示する例としては、例えば図１の送信機ユニットを参照のこと。
【００３３】
無線音声ストリームの送信および受信は、無線技術を用いて実行され、よって、例えば、２．４ＧＨｚ〜２．５ＧＨｚの範囲、８００ＭＨｚ〜１ＧＨｚの範囲、３．６ＧＨｚ〜３．７ＧＨｚの範囲および／または４．９ＧＨｚ〜５．９ＧＨｚの範囲の１つ以上の周波数で、音声ブロックを送信してもよい。
【００３４】
パイロットパッケージは、パイロットチャネルで送信される。複数のパイロットパッケージは、１つ以上の利用可能なチャネルから選択された複数のパイロットチャネルで送信されてもよい。パイロットパッケージ用のパイロットチャネルは、利用可能なチャネルのサブセットから選択されてもよい。これによって、聴覚装置は、既知のチャネルで、別の送信機ユニットのパイロットパッケージを聴き取ればよいだけであるので、利用可能な送信機ユニットの探索中における聴覚装置への負荷をさらに低減できる。複数のパイロットパッケージ用のチャネルは、例えば、２．４ＧＨｚ〜２．５ＧＨｚの範囲、８００ＭＨｚ〜１ＧＨｚの範囲、３．６ＧＨｚ〜３．７ＧＨｚの範囲および／または４．９ＧＨｚ〜５．９ＧＨｚの範囲の１つ以上の周波数であってもよい。
【００３５】
パイロットパッケージは、音声ブロックと同じ周波数帯域で送信されてもよい。その代わりに、パイロットパッケージは、音声ブロックと異なる周波数帯域で、および／または異なる変調方式で、送信されてもよい。
【００３６】
パイロットパッケージの送信は、周波数ホッピング方式を用いて行われてもよい。すなわち、パイロットチャネルは、周波数ホッピング方式に従って、３つ以上のチャネルから選択されてもよい。周波数ホッピング方式は、ランダム、疑似ランダムまたは予め決められたものであってもよい。
【００３７】
無線音声ストリームを送信する方法は、例えば第一の音声フレーム内で、第一の二次パイロットパッケージを送信する工程を含んでいてもよい。第一の二次パイロットパッケージは、第一の送信機ユニット、すなわちそれが送信された送信機ユニットの送信機ユニットアドレス、第一の二次時間オフセット、および／または、第二の音声ブロックの音声パッケージ、例えば第一の一次音声パッケージのチャネル識別子を含んでいてもよい。二次パイロットチャネルを提供することによって、送信機ユニット間でのより迅速な切替を実現することができ、移動するユーザが経験する信号品質を改善することができる。
【００３８】
第一の二次時間オフセットは、第一の二次パイロットパッケージと、第二の音声ブロックの音声パッケージ、例えば第一の一次音声パッケージの間の時間オフセットを示していてもよい。
【００３９】
二次パイロットパッケージの送信により、聴覚装置が別の送信機ユニットを聴き取る機能が拡張されて、どちらか一方が、他の送信機ユニットから送信された音声ブロックと同時に、あるいは聴覚装置の受信機がターンオフされている期間に送信されていても、パイロットパッケージを受信できるようになる。従って、送信機ユニット間でのより迅速な切替またはハンドオーバが実現される。
【００４０】
二次時間オフセットの選択、例えば第一の二次時間オフセットの選択は、所定オフセット方式、ランダムオフセット方式、または疑似ランダムオフセット方式に基づいていてもよい。音声ブロックまたは一次パイロットパッケージに対して固定されていない時間における二次パイロットパッケージの送信は、聴覚装置が利用可能な別の送信機ユニットを探索する機能をさらに拡張して、所望の音声ストリームを送信している送信機ユニットのパイロットパッケージを受信させることができる。
【００４１】
二次パイロットパッケージを送信する前に、一次パイロットパッケージを送信してからある一定の期間待機することは、聴覚装置がパイロットパッケージを受信できる可能性を向上する上で、有益であろう。従って、一次パイロットパッケージと二次パイロットパッケージの間の時間差は、例えば第一の一次パイロットパッケージと第一の二次パイロットパッケージの間の時間差は、第一の時間閾値より大きくなるように選択されていてもよい。第一の時間閾値（Ｔｄｉｆ，ｍｉｎ）は、期間Ｔについての割合であってもよい。第一の時間閾値（Ｔｄｉｆ，ｍｉｎ）は、０．０５Ｔから０．８Ｔまでの範囲内、例えば０．２０Ｔ、０．２５Ｔ、０．３０Ｔ、０．４０Ｔ、０．５０Ｔ、０．６０Ｔであってもよいし、それらの間の任意の範囲内にあってもよい。例示的な方法において、第一の時間閾値（Ｔｄｉｆ，ｍｉｎ）は０．５Ｔよりも大きくなるように選択されている。第一の時間閾値（Ｔｄｉｆ，ｍｉｎ）は音声ブロックの長さよりも長くてもよい。
【００４２】
第一の音声ブロックは、第二の一次音声パッケージを含んでいてもよい。第二の一次音声パッケージは、送信機ユニットアドレスを含んでいてもよい。
【００４３】
第一の音声ブロックの送信は、第二の一次音声パッケージの送信を含んでいてもよい。第二の一次音声パッケージは、第一の送信機ユニット、すなわちそれが送信された送信機ユニットの送信機ユニットアドレスを含んでいてもよい。さらに、第一の音声ブロックは、一次音声パッケージのコピーを構成しており、喪失したパッケージの回復を可能にする、二次音声パッケージを含んでいてもよい。第一のおよび第二の音声パッケージにより、左耳および右耳のそれぞれへの音声データの提供が可能になり、ステレオでの音声の送信が可能になる。第一の送信機ユニットから送信される全ての音声パッケージ（第一の、第二の、一次、二次）は、第一の送信機ユニット、すなわちそれらが送信された送信機ユニットの送信機ユニットアドレスを含んでいてもよい。
【００４４】
パイロットパッケージは、音声ストリーム識別子を含んでいてもよい。音声ストリーム識別子は、音声ストリーム内の音声トラックを示しており、パイロットパッケージを受信している聴覚装置が受信されたパイロットパッケージに対応する音声ストリームの音声トラックを特定できるようにするものであってもよい。パイロットパッケージ内の、音声ストリーム識別子および／またはネットワーク識別子および／または送信機ユニットのグループを示す他のデータによって、聴覚装置は、特定の音声ストリームのグループの１つ、すなわち聴覚装置がすでに受信しているものと同じ音声トラックを送信する別の送信機ユニットに切り替えることのみ考慮すればよい。
【００４５】
例示的な音声システムにおいて、複数の音声ストリームは、送信され得る多数の異なる音声トラックを含んでいる。聴覚装置には、対応するパイロットパッケージを受信することによって、音声ストリームの情報が提供されてもよい。聴覚装置が、別の送信機ユニットからの受信に切り替えることを望む場合、聴覚装置は受信されたパイロットパッケージ内に含まれる音声ストリーム識別子を検査する。それによって、聴覚装置は、正しい音声トラック、すなわち第一の送信機ユニットからすでに受信されている音声トラックが受信されるように切替が行われることを確実にすることができる。
【００４６】
上記の方法は、記載された方法に従って電磁信号を送信することによって、使用されてもよい。
【００４７】
電磁信号は、第一の音声フレーム内の第一の音声ブロックと、第一の音声フレームに続く第二の音声フレーム内の第二の音声ブロックを含む、複数の音声ブロックを含んでいてもよい。電磁信号の音声ブロック、例えば第一の音声ブロックおよび第二の音声ブロックは、それぞれ第一の一次音声パッケージを含む１つ以上の音声パッケージを含んでいてもよい。
【００４８】
電磁信号は、第一の音声フレーム内の第一の一次パイロットパッケージを含んでいる。第一の一次パイロットパッケージと、第二の音声ブロックの第一の一次音声パッケージは、第一の一次時間オフセットだけ、離れていてもよい。
【００４９】
第一の一次パイロットパッケージは、送信機ユニットアドレス、第一の一次時間オフセット、および第二の音声ブロックの第一の一次音声パッケージのチャネル識別子を含んでいる。
【００５０】
電磁信号は、第一の音声フレーム内の第一の二次パイロットパッケージを含んでいてもよい。第一の二次パイロットパッケージと、第二の音声ブロックの第一の一次音声パッケージは、第一の二次時間オフセットだけ、離れていてもよい。第一の二次パイロットパッケージは、送信機ユニットアドレス、第一の二次時間オフセット、および第二の音声ブロックの第一の一次音声パッケージのチャネル識別子を含んでいてもよい。
【００５１】
上記した音声ストリームの送信は、送信機ユニットまたは１つ以上の送信機ユニットを含む音声システムによって行われてもよい。
【００５２】
無線音声ストリームを送信する例示的な音声システムは、音声ブロックを送信するように構成された第一の送信機ユニットを含んでいる。各音声ブロックは、第一の一次音声パッケージを含む、１つ以上の音声パッケージを含んでいる。第一の一次音声パッケージは、それぞれの送信機の送信機ユニットアドレスを含んでいる。
【００５３】
第一の送信機ユニットは、第一の音声フレーム内の第一の音声ブロックを送信するように構成されていてもよい。第一の音声ブロックは、第一の一次音声パッケージを含んでいてもよい。第一の一次音声パッケージは、第一の送信機ユニットの送信機ユニットアドレスを含んでいてもよい。
【００５４】
第一の送信機ユニットはさらに、第一の一次パイロットパッケージを送信するように構成されていてもよい。第一の一次パイロットパッケージは、第一の送信機ユニットの送信機ユニットアドレス、第一の一次時間オフセット、および第二の音声フレーム内の第二の音声ブロックの第一の一次音声パッケージのチャネル識別子を含んでいてもよい。
【００５５】
第一の送信機ユニットはさらに、第一の一次時間オフセットおよびチャネル識別子に応じて、開始時間に第二の音声ブロックの第一の一次音声パッケージを送信するように構成されていてもよい。
【００５６】
従って、第二の音声ブロックは、第一の一次パイロットパッケージ内に含まれるチャネル識別子に従ったチャネル上で、第一の一次パイロットパッケージ内に含まれる第一の一次時間オフセットに従った時間に、第一の送信機ユニットから送信される。従って、第一の一次パイロットパッケージを受信している聴覚装置は、一次パイロットパッケージ内の情報に基づいて、第二の音声ブロックを受信することができる。
【００５７】
第一の一次時間オフセットおよび通常の一次時間オフセットは、固定されていてもよいし、ランダムにまたは疑似ランダムに選択されていてもよい。しかしながら、固定されているか、ランダムにまたは疑似ランダムに選択されているかに関わらず、第二の音声ブロックを送信する時間は、第一の一次パイロットパッケージを送信する時点で既知である。例示的な方法および音声システムにおいて、（第一の）一次パイロットパッケージは、音声ブロックの直後に続く。
【００５８】
第一の二次時間オフセットおよび通常の二次時間オフセットは、ランダムにまたは疑似ランダムに選択されていてもよい。しかしながら、固定されているか、ランダムにまたは疑似ランダムに選択されているかに関わらず、第二の音声ブロックを送信する時間は、第一の二次パイロットパッケージを送信する時点で既知である。
【００５９】
音声システムは、第二の送信機ユニットを含んでいてもよい。第二の送信機ユニットは、第一の音声フレーム内の第一の音声ブロックを送信するように構成されていてもよい。第一の音声ブロックは、第一の一次音声パッケージを含んでいてもよい。第一の一次音声パッケージは、第二の送信機ユニットの送信機ユニットアドレスを含んでいてもよい。
【００６０】
第二の送信機ユニットはさらに、第一の一次パイロットパッケージを送信するように構成されていてもよい。第一の一次パイロットパッケージは、第二の送信機ユニットの送信機ユニットアドレス、第一の一次時間オフセット、および第二の音声フレーム内の第二の音声ブロックの第一の一次音声パッケージのチャネル識別子を含んでいてもよい。第二の送信機ユニットはさらに、第二の送信機からの第一の一次パイロットパッケージの第一の一次時間オフセットおよびチャネル識別子に応じて、開始時間に第二の音声ブロックの第一の一次音声パッケージを送信するように構成されていてもよい。
【００６１】
図１は、例示的な音声システム２の機能を概略的に示す。図示された音声システム２は、制御ユニット４に接続された複数の送信機ユニット６を備えている。聴覚装置（図示せず）を身につけて第一の位置５０にいるユーザは、第一の送信機ユニット７から音声ストリームを受信する。ユーザ５０が、別の位置またはエリア５０’へ移動すると、第一の送信機ユニット７から送信される音声ストリーム信号は、弱くなる場合がある。聴覚装置は探索を行い、この探索は、利用可能な送信機ユニットのパイロットパッケージを受信することによって、容易になされる。聴覚装置は、同じ音声トラックを送信する第２の送信機ユニット７’を特定し、第２の送信機ユニット７’から音声ストリームを受信することによって、受信を継続するように変化する。
【００６２】
図２は、例示的な音声システム２の詳細を概略的に示す。音声システム２は、図に示すように１つまたは複数の送信機ユニット６と、送信機制御ユニット４と、音声システム制御ユニット８と、ユーザインターフェース１０を含んでいる。送信機ユニット６は、ここで説明する方法に従って、音声パッケージとパイロットパッケージを含む音声データをストリーム配信する。送信機制御ユニット４は、例えば、各送信機ユニット６について、ストリーム配信する音声トラックと、送信機ユニットの動作パラメータを制御して、送信機ユニット６を制御する。音声システム制御ユニット８は、外部入力に従って、送信機制御ユニット４を介して、送信機ユニット６を制御する。外部入力は、例示的な音声システム２において、ユーザインターフェース１０によって提供されてもよい。ユーザインターフェースは、オペレータにより、またはユーザにより、アクセスされてもよい。
【００６３】
図３は、例示的な電磁信号１００を概略的に示す。電磁信号１００は、例示的な音声システム２において、図１および図２に示す送信機ユニット６の任意のものから送信され得る。電磁信号１００は、音声ストリームを表し、音声フレームに分割されている。図では、Ｔ＝１０ｍｓに時間長が固定されている第一の音声フレーム１０４、第二の音声フレーム１１４、および第三の音声フレーム１２４が示されている。各音声フレームは、音声ブロック１０１、１１１、１２１と、一次パイロットパッケージ１０２、１１２、１２２と、場合によっては二次パイロットパッケージ１０３、１１３、１２３をそれぞれ含む。音声ブロック１０１、１１１、１２１は、少なくとも第一の一次音声パッケージ（図示せず）を含み、さらに、任意の数の音声パッケージを含んでいてもよい。音声パッケージの数は、全ての音声ブロックについて、同じである必要はない。
【００６４】
第一の音声フレーム１０４は、第一の音声ブロック１０１の第一の一次音声パッケージが送信されることによって始まる。第一の音声ブロック１０１を送信後、第一の一次パイロットパッケージ１０２が送信され、場合によっては第一の二次パイロットパッケージ１０３が送信される。
【００６５】
第一の一次パイロットパッケージ１０２は、第二の音声ブロック１１１の第一の一次音声パッケージをどのように（例えば第二の音声ブロックの第一の一次音声パッケージのチャネル識別子）、いつ（例えば第一の一次時間オフセット１０６）受信するかについての情報を含む。第一の一次パイロットパッケージ１０２は、第一の一次パイロットパッケージ１０２の送信と、第二の音声フレーム１１４の第二の音声ブロック１１１の第一の一次音声パッケージの送信との間の時間を示す第一の一次時間オフセット１０６を含む。第一の一次パイロットパッケージは、疑似ランダム周波数ホッピング方式に従って、３つまたはそれ以上の利用可能なチャネルのサブセットから選択された、第一の一次パイロットチャネル上で送信される。
【００６６】
第一の二次パイロットパッケージ１０３は、第一の一次パイロットパッケージと同様に、第二の音声ブロック１１１の第一の一次音声パッケージをどのように、いつ受信するかについての情報を含む。第一の二次パイロットパッケージ１０３は、第一の二次パイロットパッケージ１０３の送信と、第二の音声フレーム１１４の第二の音声ブロック１１１の第一の一次音声パッケージの送信との間の時間を示す第一の二次時間オフセット１０８を含む。
【００６７】
例示的な電磁信号において、音声フレーム１０４、１１４、１２４の持続時間Ｔは、一定であり、例えば、５ｍｓ〜１２ｍｓ、６ｍｓ〜１０．２ｍｓ、６ｍｓ〜６．５ｍｓ、７．２ｍｓ〜７．７ｍｓまたは９．８ｍｓ〜１０．２ｍｓ等の、２ｍｓ〜２０ｍｓの時間であってもよい。
【００６８】
一次パイロットパッケージ１０２、１１２、１２２は、一次時間オフセット１０６、１１６、１２６が固定で全ての音声フレーム１０４、１１４、１２４について同一となるような、それぞれの音声フレーム内の時点で送信されてもよい。二次パイロットパッケージ１０３、１１３、１２３は、それぞれの二次パイロットパッケージと、後続の音声ブロックの第一の一次音声パッケージの間が、ランダムなまたは疑似ランダムな二次時間オフセット１０８、１１８、１２８となるように、ランダムにまたは疑似ランダムに選択された時間に送信されてもよい。
【００６９】
図４（ａ）〜（ｄ）は、４つの様々な例示的な音声ブロック２００、２００’、２００’’、２００’’’を示す。図４（ａ）は、一次音声パッケージ２０２を含む音声ブロック２００、例えば、モノラル音声信号、を示す。図４（ｂ）は、一次音声パッケージ２０２と二次音声パッケージ２０４とを含む例示的なモノラル信号の音声ブロック２００’を示す。二次音声パッケージ２０４は、聴覚装置においてデータの受信に成功する可能性を高めるために、一次音声パッケージ２０２のコピーであってもよい。図４（ｃ）は、例示的なステレオ信号の音声ブロック２００’’を示す。図４（ｃ）の音声ブロック２００’’は、それぞれ右耳と左耳のための第一の一次音声パッケージ２０６と第二の一次音声パッケージ２０８を含む。図４（ｃ）に示される音声ブロック２００’’は、第一の二次音声パッケージ２１０と第二の二次音声パッケージ２１２をさらに含む。第一の二次音声パッケージ２１０は、第一の一次音声パッケージ２０６のコピーであってもよく、第二の二次音声パッケージ２１２は、第二の一次音声パッケージ２０８のコピーであってもよい。図４（ｄ）は、例示的なステレオ信号の音声ブロック２００’’’を示す。図４（ｄ）に示される音声ブロック２００’’’は、第一の三次音声パッケージ２１４と第二の三次音声パッケージ２１６を含む。第一の三次音声パッケージ２１４は、第一の二次音声パッケージ２１０および／または第一の一次音声パッケージ２０６のコピーであってもよい。第二の三次音声パッケージ２１６は、第二の二次音声パッケージ２１２および／または第二の一次音声パッケージ２０８のコピーであってもよい。「のコピー」は、少なくとも音声パッケージの音声データが同一であることを意味する。
【００７０】
図５は、本発明による例示的な方法３００のフローチャートである。方法３００は、第一の音声ブロックを送信する工程３０２と、第一の一次パイロットパッケージを送信する工程３０４と、第二の音声ブロック３０８を送信する工程３０８を含む。場合によっては、方法３００は、第一の一次パイロットパッケージを送信する工程３０４の後、第二の音声フレームにおける第二の音声ブロックを送信する工程３０８の前に、第一の二次パイロットパッケージを送信する工程３０６を含む。
【００７１】
第一の音声ブロックを送信する工程３０２は、少なくともそれが送信された送信機ユニットの送信機ユニットアドレスを含む第一の一次音声パッケージを送信する工程を含む。
【００７２】
第一の一次パイロットパッケージを送信する工程３０４は、それが送信された送信機ユニットの送信機ユニットアドレス、第一の一次時間オフセット、および第二の音声フレームにおける第二の音声ブロックの第一の一次音声パッケージのチャネル識別子を送信する工程を含む。
【００７３】
場合により行われる、第一の二次パイロットパッケージを送信する工程３０６は、それが送信された送信機ユニットの送信機ユニットアドレス、第一の二次時間オフセット、および第二の音声フレームにおける第二の音声ブロックの第一の一次音声パッケージのチャネル識別子を含む、第一の二次パイロットパッケージを送信する工程を含む。
【００７４】
図６は、送信機ユニットアドレスと、場合によっては音声ストリーム識別子と、音声ストリームデータとを含む例示的な音声パッケージを示す。送信機ユニットアドレスは、音声パッケージが送信された送信機ユニットを示していてもよい。音声ストリーム識別子は、例えば、音声トラック識別情報、音声グループ識別情報等の、音声ストリームを示すデータを含んでもよい。音声ストリームデータは、音声ストリームを構成する可聴情報の限定された部分より成る。
【００７５】
図７は、送信機ユニットアドレスと、チャネル識別子と、時間オフセットと、場合によっては音声ストリーム識別子と、場合によってはネットワーク識別子とを含む例示的な一次および／または二次パイロットパッケージを示す。送信機ユニットアドレスは、パイロットパッケージが送信された送信機ユニットを示していてもよい。チャネル識別子は、音声ストリームの次の音声ブロックが送信されるチャネルを示していてもよい。すなわち、チャネル識別子は、周波数または周波数を示す数字であってもよい。時間オフセットは、いつ次の音声ブロックが送信されるかを示していてもよい。音声ストリーム識別子は、例えば、音声トラック識別情報、音声グループ識別情報等の、音声ストリームを示すデータを含んでいてもよい。ネットワーク識別子は、送信機ユニットグループを示してもよく、例えば、ネットワーク識別子は、サブネットアドレスを含んでもよい。パイロットパッケージ内に含まれる情報は、聴覚装置が、当該聴覚装置を当該情報に従って設定することによって、当該音声ストリームを送信する送信機ユニットから後続の音声ブロックを受信できるようにするものであってもよい。
【００７６】
以下の項目の何れかによる方法、電磁信号、音声システム、および送信機ユニットも開示される。
【００７７】
（項目１）
第一の送信機ユニットを含む音声システムにおいて無線音声ストリームを送信する方法であって、
第一の音声フレーム内の第一の音声ブロックであって、前記第一の送信機ユニットの送信機ユニットアドレスを含む第一の一次音声パッケージを含む第一の音声ブロックを送信する工程と、
前記第一の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信する工程と、
前記第一の一次時間オフセットと前記チャネル識別子に応じて、開始時間に前記第二の音声ブロックの第一の一次音声パッケージを送信する工程を含む方法。
【００７８】
（項目２）
前記第一の送信機ユニットの送信機ユニットアドレス、第一の二次時間オフセット、および前記第二の音声ブロックの前記第一の一次音声パッケージのチャネル識別子を含む第一の二次パイロットパッケージを送信する工程を含んでおり、
前記第二の時間オフセットが、前記第一の二次パイロットパッケージと前記第二の音声ブロックの前記第一の一次音声パッケージの間の時間オフセットを示す、項目１の方法。
【００７９】
（項目３）
所定オフセット方式、ランダムオフセット方式、または疑似ランダムオフセット方式に基づいて、前記第一の二次時間オフセットを選択する工程を含む、項目２の方法。
【００８０】
（項目４）
前記第一の一次パイロットパッケージと前記第一の二次パイロットパッケージの間の前記時間差が、第一の時間閾値よりも大きい、項目２または３の方法。
【００８１】
（項目５）
第一の音声ブロックを送信する前記工程が、前記第一の送信機ユニットの送信機ユニットアドレスを含む第二の一次音声パッケージを送信する工程を含む、項目１から４の何れか一項の方法。
【００８２】
（項目６）
前記第一の一次パイロットパッケージが、音声ストリーム識別子を含む、項目１から５の何れか一項の方法。
【００８３】
（項目７）
第一の音声フレーム内の第一の音声ブロックと、第一の音声フレームに続く第二の音声フレーム内の第二の音声ブロックを含む、複数の音声ブロックを含む電磁信号であって、
前記第一の音声ブロックと前記第二の音声ブロックは、それぞれ第一の一次音声パッケージを含んでおり、
前記電磁信号は、前記第一の音声フレーム内の第一の一次パイロットパッケージを含んでおり、
前記第一の一次パイロットパッケージと、前記第二の音声ブロックの前記第一の一次音声パッケージは、第一の一次時間オフセットだけ離されており、
前記第一の一次パイロットパッケージは、送信機ユニットアドレス、前記第一の一次時間オフセット、および前記第二の音声ブロックの前記第一の一次音声パッケージのチャネル識別子を含んでいる、電磁信号。
【００８４】
（項目８）
前記第一の音声フレーム内の第一の二次パイロットパッケージを含んでおり、
前記第一の二次パイロットパッケージと、前記第二の音声ブロックの前記第一の一次音声パッケージは、第一の二次時間オフセットだけ離されており、
前記第一の二次パイロットパッケージは、送信機ユニットアドレス、前記第一の二次時間オフセット、および前記第二の音声ブロックの前記第一の一次音声パッケージのチャネル識別子を含んでいる、項目７の電磁信号。
【００８５】
（項目９）
前記第一の一次パイロットパッケージと、前記第一の二次パイロットパッケージの間の前記時間差が、第一の時間閾値よりも大きい、項目８の電磁信号。
【００８６】
（項目１０）
前記第一の音声ブロックが、送信機ユニットアドレスを含む第二の一次音声パッケージを含んでいる、項目７から９の何れか一項の電磁信号。
【００８７】
（項目１１）
前記第一の一次パイロットパッケージが、音声ストリーム識別子を含んでいる、項目７から１０の何れか一項の電磁信号。
【００８８】
（項目１２）
無線音声ストリームを送信する音声システムであって、
前記音声システムは第一の送信機ユニットを含む１つ以上の送信機ユニットを含んでおり、
前記１つ以上の送信機ユニットは音声ブロックを送信するように構成されており、
各音声ブロックはそれぞれの送信機の送信機ユニットアドレスを含む第一の一次音声パッケージを含んでおり、
前記第一の送信機ユニットは、
第一の音声フレーム内の第一の音声ブロックであって、前記第一の送信機ユニットの送信機ユニットアドレスを含む第一の一次音声パッケージを含む第一の音声ブロックを送信し、
前記第一の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信し、
前記第一の一次時間オフセットと前記第二の音声ブロックの前記第一の一次音声パッケージの前記チャネル識別子に応じて、開始時間に前記第二の音声ブロックの前記第一の一次音声パッケージを送信するように構成されている、音声システム。
【００８９】
（項目１３）
前記音声システムは、第二の送信機ユニットを含んでおり、
前記第二の送信機ユニットは、
第一の音声フレーム内の第一の音声ブロックであって、前記第二の送信機ユニットの送信機ユニットアドレスを含む第一の一次音声パッケージを含む第一の音声ブロックを送信し、
前記第二の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信し、
前記第二の送信機からの前記第一の一次時間オフセットと前記第二の音声ブロックの前記第一の一次音声パッケージの前記チャネル識別子に応じて、開始時間に前記第二の音声ブロックの前記第一の一次音声パッケージを送信するように構成されている、項目１２の音声システム。
【００９０】
（項目１４）
無線音声ストリームを送信する音声システムであって、
前記音声システムは、音声ブロックを送信する第一の送信機ユニットを含んでおり、
各音声ブロックは、前記第一の送信機の送信機ユニットアドレスを含む第一の一次音声パッケージを含んでおり、
前記第一の送信機ユニットは、項目１から６の何れか一項の方法を実行するように構成されている、音声システム。
【００９１】
（項目１５）
無線音声ストリームを送信する送信機ユニットであって、
項目７から１１の何れか一項の電磁信号を送信するように構成されている、送信機ユニット。
【符号の説明】
【００９２】
２  音声システム
４  送信機制御ユニット
６  送信機ユニット
８  音声システム制御ユニット
１０  音声システムユーザインターフェース
５０，５０’聴覚装置のユーザ
１００  電磁信号
１０１  第一の音声ブロック（Ａ１）
１０２  第一の一次パイロットパッケージ（Ｐ１，１）
１０３  第一の二次パイロットパッケージ（Ｐ１，２）
１０４  第一の音声フレーム
１０６  第一の一次時間オフセット（Δｔ１，１）
１０８  第一の二次時間オフセット（Δｔ１，２）
１１１  第二の音声ブロック（Ａ２）
１１２  第二の一次パイロットパッケージ（Ｐ２，１）
１１３  第二の二次パイロットパッケージ（Ｐ２，２）
１１４  第二の音声フレーム
１１６  第二の一次時間オフセット（Δｔ２，１）
１１８  第二の二次時間オフセット（Δｔ２，２）
１２１  第三の音声ブロック（Ａ３）
１２２  第三の一次パイロットパッケージ（Ｐ３，１）
１２３  第三の二次パイロットパッケージ（Ｐ３，２）
１２４  第三の音声フレーム
１２６  第三の一次時間オフセット（Δｔ３，１）
１２８  第三の二次時間オフセット（Δｔ３，２）
２００，２００’，２００’’，２００’’’  音声ブロック
２０２  一次音声パッケージ
２０４  二次音声パッケージ
２０６  第一の一次音声パッケージ
２０８  第二の一次音声パッケージ
２１０  第一の二次音声パッケージ
２１２  第二の二次音声パッケージ
２１４  第一の三次音声パッケージ
２１６  第二の三次音声パッケージ
３００  送信の方法
３０２  第一の音声ブロックの送信
３０４  第一の一次パイロットパッケージの送信
３０６  第一の二次パイロットパッケージの送信
３０８  第二の音声ブロックの送信
【図１】
2014225878.tif 000003
【図２】
2014225878.tif 000004
【図３】
2014225878.tif 000005
【図４】
2014225878.tif 000006
【図５】
2014225878.tif 000007
【図６】
2014225878.tif 000008
【図７】
2014225878.tif 000009
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
第一の送信機ユニットを含む音声システムにおいて無線音声ストリームを送信する方法（３００）であって、
第一の音声フレーム内の第一の音声ブロックであって、前記第一の送信機ユニットの送信機ユニットアドレスを含む第一の一次音声パッケージを含む第一の音声ブロックを送信する工程（３０２）と、
前記第一の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信する工程（３０４）と、
前記第一の一次時間オフセットと前記チャネル識別子に応じて、開始時間に前記第二の音声ブロックの第一の一次音声パッケージを送信する工程（３０８）を含む方法（３００）。
【請求項２】
前記第一の送信機ユニットの送信機ユニットアドレス、第一の二次時間オフセット、および前記第二の音声ブロックの前記第一の一次音声パッケージのチャネル識別子を含む第一の二次パイロットパッケージを送信する工程（３０６）を含んでおり、
前記第二の時間オフセットが、前記第一の二次パイロットパッケージと前記第二の音声ブロックの前記第一の一次音声パッケージの間の時間オフセットを示す、請求項１の方法（３００）。
【請求項３】
所定オフセット方式、ランダムオフセット方式、または疑似ランダムオフセット方式に基づいて、前記第一の二次時間オフセットを選択する工程を含む、請求項２の方法。
【請求項４】
前記第一の一次パイロットパッケージと前記第一の二次パイロットパッケージの間の前記時間差が、第一の時間閾値よりも大きい、請求項２または３の方法。
【請求項５】
第一の音声ブロックを送信する前記工程（３０２）が、前記第一の送信機ユニットの送信機ユニットアドレスを含む第二の一次音声パッケージを送信する工程を含む、請求項１から４の何れか一項の方法。
【請求項６】
前記第一の一次パイロットパッケージが、音声ストリーム識別子を含む、請求項１から５の何れか一項の方法。
【請求項７】
第一の音声フレーム（１０４）内の第一の音声ブロック（１０１）と、第一の音声フレーム（１０４）に続く第二の音声フレーム（１１４）内の第二の音声ブロック（１１１）を含む、複数の音声ブロックを含む電磁信号（１００）であって、
前記第一の音声ブロック（１０１）と前記第二の音声ブロック（１１１）は、それぞれ第一の一次音声パッケージを含んでおり、
前記電磁信号（１００）は、前記第一の音声フレーム（１０４）内の第一の一次パイロットパッケージ（１０２）を含んでおり、
前記第一の一次パイロットパッケージ（１０２）と、前記第二の音声ブロック（１１１）の前記第一の一次音声パッケージは、第一の一次時間オフセット（１０６）だけ離されており、
前記第一の一次パイロットパッケージ（１０２）は、送信機ユニットアドレス、前記第一の一次時間オフセット（１０６）、および前記第二の音声ブロック（１１１）の前記第一の一次音声パッケージのチャネル識別子を含んでいる、電磁信号。
【請求項８】
前記第一の音声フレーム（１０４）内の第一の二次パイロットパッケージ（１０３）を含んでおり、
前記第一の二次パイロットパッケージ（１０３）と、前記第二の音声ブロック（１１１）の前記第一の一次音声パッケージは、第一の二次時間オフセット（１０８）だけ離されており、
前記第一の二次パイロットパッケージ（１０３）は、送信機ユニットアドレス、前記第一の二次時間オフセット（１０８）、および前記第二の音声ブロック（１１１）の前記第一の一次音声パッケージのチャネル識別子を含んでいる、請求項７の電磁信号。
【請求項９】
前記第一の一次パイロットパッケージ（１０２）と、前記第一の二次パイロットパッケージ（１０３）の間の前記時間差が、第一の時間閾値よりも大きい、請求項８の電磁信号。
【請求項１０】
前記第一の音声ブロック（１０１）が、送信機ユニットアドレスを含む第二の一次音声パッケージを含んでいる、請求項７から９の何れか一項の電磁信号。
【請求項１１】
前記第一の一次パイロットパッケージ（１０２）が、音声ストリーム識別子を含んでいる、請求項７から１０の何れか一項の電磁信号。
【請求項１２】
無線音声ストリームを送信する音声システム（２）であって、
前記音声システム（２）は第一の送信機ユニットを含む１つ以上の送信機ユニット（６）を含んでおり、
前記１つ以上の送信機ユニット（６）は音声ブロックを送信するように構成されており、
各音声ブロックはそれぞれの送信機（２）の送信機ユニットアドレスを含む第一の一次音声パッケージを含んでおり、
前記第一の送信機ユニットは、
第一の音声フレーム内の第一の音声ブロックであって、前記第一の送信機ユニットの送信機ユニットアドレスを含む第一の一次音声パッケージを含む第一の音声ブロックを送信し、
前記第一の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信し、
前記第一の一次時間オフセットと前記第二の音声ブロックの前記第一の一次音声パッケージの前記チャネル識別子に応じて、開始時間に前記第二の音声ブロックの前記第一の一次音声パッケージを送信するように構成されている、音声システム。
【請求項１３】
前記音声システム（２）は、第二の送信機ユニットを含んでおり、
前記第二の送信機ユニットは、
第一の音声フレーム内の第一の音声ブロックであって、前記第二の送信機ユニットの送信機ユニットアドレスを含む第一の一次音声パッケージを含む第一の音声ブロックを送信し、
前記第二の送信機ユニットの送信機ユニットアドレス、第一の一次時間オフセット、および第二の音声フレーム内の第二の音声ブロックの第一の一次音声パッケージのチャネル識別子を含む第一の一次パイロットパッケージを送信し、
前記第二の送信機からの前記第一の一次時間オフセットと前記第二の音声ブロックの前記第一の一次音声パッケージの前記チャネル識別子に応じて、開始時間に前記第二の音声ブロックの前記第一の一次音声パッケージを送信するように構成されている、請求項１２の音声システム。
【請求項１４】
無線音声ストリームを送信する音声システム（２）であって、
前記音声システムは、音声ブロックを送信する第一の送信機ユニットを含んでおり、
各音声ブロックは、前記第一の送信機の送信機ユニットアドレスを含む第一の一次音声パッケージを含んでおり、
前記第一の送信機ユニットは、請求項１から６の何れか一項の方法（３００）を実行するように構成されている、音声システム。
【請求項１５】
無線音声ストリームを送信する送信機ユニット（６）であって、
請求項７から１１の何れか一項の電磁信号（１００）を送信するように構成されている、送信機ユニット（６）。
【外国語明細書】
2014225878000001.pdf
2014225878000002.pdf
2014225878000003.pdf
2014225878000004.pdf